(57)【要約】【課題】  簡単な操作で所望の文字及び／または画像データの拡大、縮小を行える携帯端末、携帯端末の制御方法及びプログラムを提供する。【解決手段】  ウェブブラウザまたは画像表示ソフトにより所望の文字及び／または画像データが表示部１０の表示画面に表示されているときに、モード制御部２２により表示の拡大・縮小モードへの切り替え機能を割り付けられたキーを操作して携帯端末を拡大モードへ切り替え、他のキーにより所定の拡大操作を行うと、判定部２４が、そのときの拡大率が最大値か否かを判定する。拡大率が最大値ではない場合、表示制御部２０が、上記データ表示の拡大率を１段階大きくし、この拡大率に基づきデータの表示サイズを変更する表示制御部２０は、表示部１０の表示画面に上記データを表示するためのページを再構成し、当該ページを再表示する。【選択図】        図１
2006155206.tif 000002
【特許請求の範囲】
【請求項１】
文字及び／または画像データを表示する表示画面と、
特定のキーに表示の拡大・縮小モードへの切り替え機能を割り付けるモード制御手段と、
前記拡大・縮小モードにおいて、操作キーからの所定の操作入力に基づき、前記データを前記表示画面の所定の方向に拡大して表示する表示制御手段と、
を備えることを特徴とする携帯端末。
【請求項２】
請求項１記載の携帯端末において、前記表示制御手段は、前記操作キーからの所定の操作入力に基づき、前記拡大表示したデータを、拡大した方向と逆方向に縮小して表示することを特徴とする携帯端末。
【請求項３】
請求項１または請求項２記載の携帯端末において、前記操作キーには、拡大または縮小倍率が設定されていることを特徴とする携帯端末。
【請求項４】
文字及び／または画像データを表示する表示画面と、
特定のキーに表示の拡大・縮小モードへの切り替え機能を割り付けるモード制御手段と、
前記拡大・縮小モードにおいて、テンキーの内その中心に位置するキーから左上、右上、左下及び右下のテンキーのいずれかが操作されたときに、前記表示画面における当該キーの対角位置から当該キーに向かう方向と同じ方向に前記データを拡大して表示する表示制御手段と、
を備えることを特徴とする携帯端末。
【請求項５】
請求項４記載の携帯端末において、前記表示制御手段は、操作キーからの所定の操作入力に基づき、前記拡大表示したデータを、拡大した方向と逆方向に縮小して表示することを特徴とする携帯端末。
【請求項６】
文字及び／または画像データを表示する表示画面と、
特定のキーに表示の拡大・縮小モードへの切り替え機能を割り付けるモード制御手段と、
前記拡大・縮小モードにおいて、テンキーの内その中心に位置するキーが操作されたときに、前記データを、その中心を動かさずに四方に拡大して表示する表示制御手段と、
を備えることを特徴とする携帯端末。
【請求項７】
請求項１から請求項６のいずれか一項記載の携帯端末において、前記表示制御手段は、前記操作キーからの所定の操作入力に基づき、前記画像データが拡大されたときは、残りの表示画面の画像データが縮小されることを特徴とする携帯端末。
【請求項８】
文字及び／または画像データを表示するステップと、
特定のキーに表示の拡大・縮小モードへの切り替え機能を割り付けるステップと、
前記拡大・縮小モードにおいて、テンキーの内その中心に位置するキーから左上、右上、左下及び右下のテンキーのいずれかが操作されたときに、表示画面における当該キーの対角位置から当該キーに向かう方向と同じ方向に前記データを拡大して表示するステップと、
を備えることを特徴とする携帯端末の制御方法。
【請求項９】
文字及び／または画像データを表示し、
特定のキーに表示の拡大・縮小モードへの切り替え機能を割り付け、
前記拡大・縮小モードにおいて、テンキーの内その中心に位置するキーから左上、右上、左下及び右下のテンキーのいずれかが操作されたときに、前記表示画面における当該キーの対角位置から当該キーに向かう方向と同じ方向に前記データを拡大して表示する処理をコンピュータに実行させることを特徴とするプログラム。
【発明の詳細な説明】
【技術分野】
【０００１】
本発明は、表示画面に表示されたデータの表示サイズを変更できる携帯端末、携帯端末の制御方法及びプログラムに関する。
【背景技術】
【０００２】
従来より、表示画面に表示された文字、画像等を拡大、縮小する機能を有する携帯端末が提案されている。
【０００３】
例えば、下記特許文献１には、所望の画像の拡大または縮小を行い、表示する携帯端末機器が開示されている。本従来例では、所望の画像の中心を画面中央に移動し、切替アイコンにより画像拡大
／縮小モードへと移行した上で、キー操作部の十字キーを操作して（上キーは拡大表示キー、下キーは縮小表示キー）画像の拡大、縮小を行う構成となっている。
【特許文献１】特開２００４−２３５８０５号公報
【発明の開示】
【発明が解決しようとする課題】
【０００４】
しかし、上記従来の技術においては、所望の画像を拡大または縮小するために、所望の画像の中心を画面中央に移動する等の多くのキー操作が必要であり、操作が煩雑であるという問題があった。
【０００５】
本発明は、上記従来の課題に鑑みなされたものであり、その目的は、簡単な操作で所望の文字及び／または画像データの拡大、縮小を行える携帯端末、携帯端末の制御方法及びプログラムを提供することにある。
【課題を解決するための手段】
【０００６】
上記目的を達成するために、本発明は、携帯端末であって、文字及び／または画像データを表示する表示画面と、特定のキーに表示の拡大・縮小モードへの切り替え機能を割り付けるモード制御手段と、前記拡大・縮小モードにおいて、操作キーからの所定の操作入力に基づき、前記データを前記表示画面の所定の方向に拡大して表示する表示制御手段と、
を備えることを特徴とする。
【０００７】
また、上記表示制御手段は、前記操作キーからの所定の操作入力に基づき、前記拡大表示したデータを、拡大した方向と逆方向に縮小して表示することを特徴とする。
【０００８】
また、上記操作キーには、拡大または縮小倍率が設定されていてもよい。
【０００９】
また、本発明は、携帯端末であって、文字及び／または画像データを表示する表示画面と、特定のキーに表示の拡大・縮小モードへの切り替え機能を割り付けるモード制御手段と、前記拡大・縮小モードにおいて、テンキーの内その中心に位置するキーから左上、右上、左下及び右下のテンキーのいずれかが操作されたときに、前記表示画面における当該キーの対角位置から当該キーに向かう方向と同じ方向に前記データを拡大して表示する表示制御手段と、を備えることを特徴とする。
【００１０】
また、上記表示制御手段は、操作キーからの所定の操作入力に基づき、前記拡大表示したデータを、拡大した方向と逆方向に縮小して表示することを特徴とする。
【００１１】
また、本発明は、携帯端末であって、文字及び／または画像データを表示する表示画面と、特定のキーに表示の拡大・縮小モードへの切り替え機能を割り付けるモード制御手段と、前記拡大・縮小モードにおいて、テンキーの内その中心に位置するキーが操作されたときに、前記データを、その中心を動かさずに四方に拡大して表示する表示制御手段と、を備えることを特徴とする。
【００１２】
また、上記表示制御手段は、前記操作キーからの所定の操作入力に基づき、前記画像データが拡大されたときは、残りの表示画面の画像データが縮小されるのが好適である。
【００１３】
また、本発明は、携帯端末の制御方法であって、文字及び／または画像データを表示するステップと、特定のキーに表示の拡大・縮小モードへの切り替え機能を割り付けるステップと、前記拡大・縮小モードにおいて、テンキーの内その中心に位置するキーから左上、右上、左下及び右下のテンキーのいずれかが操作されたときに、表示画面における当該キーの対角位置から当該キーに向かう方向と同じ方向に前記データを拡大して表示するステップと、を備えることを特徴とする。
【００１４】
また、本発明は、プログラムであって、文字及び／または画像データを表示し、特定のキーに表示の拡大・縮小モードへの切り替え機能を割り付け、前記拡大・縮小モードにおいて、テンキーの内その中心に位置するキーから左上、右上、左下及び右下のテンキーのいずれかが操作されたときに、前記表示画面における当該キーの対角位置から当該キーに向かう方向と同じ方向に前記データを拡大して表示する処理をコンピュータに実行させることを特徴とする。
【発明を実施するための最良の形態】
【００１５】
以下、本発明を実施するための最良の形態（以下、実施形態という）を、図面に従って説明する。
【００１６】
図１には、本発明にかかる携帯端末の一実施形態の構成のブロック図が示される。図１において、携帯端末は、表示部１０、操作部１２、記憶部１４、通信部１６及び制御部１８で構成されている。
【００１７】
表示部１０は、例えば液晶ディスプレイ等で構成され、文字データ、画像データ等のキー入力の内容、各種図形等を表示する。
【００１８】
上記キー入力は、図１の操作部１２により行う。この操作部１２は、例えば携帯端末の操作キー等により構成される。
【００１９】
記憶部１４は、例えば制御部２０の作業用のＲＡＭ、不揮発性メモリとしてのＥＥＰＲＯＭ、磁気記憶媒体等で構成されており、キー入力の内容等の各種データ及びプログラム等が記憶される。
【００２０】
通信部１６は、公知の方法により基地局と通信して携帯通信端末としての通話機能を実現している。
【００２１】
制御部１８は、例えばＣＰＵ等で構成され、表示部１０、操作部１２、記憶部１４及び通信部１６とデータのやり取りを行いながらこれらの動作を制御する。
【００２２】
制御部１８の表示制御部２０は、主として表示部１０の表示画面に表示される内容を制御する。また、モード制御部２２は、特定のキーに表示の拡大・縮小モードへの切り替え機能を割り付ける処理を実行する。この場合、特定のキーとしては、例えば、ウェブブラウザまたは写真データ等の画面表示を実行する画像表示ソフトが起動中のメールキー、通話キーのような、特定の機能が割り付けられていないキーが選択される。判定部２４は、携帯端末の各種動作に必要な判定動作を実行する。
【００２３】
なお、上述した制御部１８は、ＣＰＵを中心として構成されたコンピュータであってよく、この場合、メモリカードその他の媒体に格納されたプログラムをＣＰＵが実行することで制御部１８の各機能が実現される。
【００２４】
図２には、図１に示された携帯端末において、文字及び／または画像データの表示を拡大する場合の動作のフローが示される。図２において、ウェブブラウザまたは画像表示ソフトにより所望の文字及び／または画像データが表示部１０の表示画面に表示されているときに（Ｓ１）、モード制御部２２は操作部１２のキーのうちメールキー、通話キーのような、特定の機能が割り付けられていないキー（以下、特定のキーという）に表示の拡大・縮小モードへの切り替え機能を割り付ける。この拡大・縮小モードは、操作キーからの所定の操作入力に基づいて、表示部１０の表示画面に表示されている文字及び／または画像データの拡大・縮小を実行するモードである。この場合、メールキーまたは通話キーのいずれか一方に上記切り替え機能を割り付け、当該キーを１回押下する毎に拡大モードと縮小モードが交互に設定されるようにしてもよいし、メールキーまたは通話キーのいずれか一方に拡大モードへの切り替え機能、他方に縮小モードへの切り替え機能を割り付けてもよい。これらの割付は、記憶部１４に記憶される。
【００２５】
また、上記拡大・縮小モードは、操作キーからの所定の操作入力に基づいて、表示部１０の表示画面に表示されている文字及び／または画像データを予め設定され、記憶部１４に記憶された拡大率または縮小率で拡大・縮小するモードである。なお、操作キーを操作する毎に複数段階で上記データ表示の拡大率または縮小率を変更するように構成するのも好適である。
【００２６】
使用者が、上記特定のキーを操作して携帯端末を拡大モードへ切り替え（Ｓ２）、さらに、操作キーにより所定の操作入力を行うと（Ｓ３）、そのときに表示画面に表示されているデータに設定されている拡大率が最大値か否かを判定部２４が判定する（Ｓ４）。ここで拡大率とは、拡大前後のデータ表示の大きさの比率をいい、拡大率の最大値は予め記憶部１４に記憶されている。なお、操作キーによる所定の操作入力とは、上記特定のキー以外のキーの押下等をいう。
【００２７】
Ｓ４で、現在設定されている拡大率が最大ではないと判定された場合、表示制御部２０が、上記データ表示の拡大率を１段階大きくし（Ｓ５）、この拡大率に基づき文字及び／または画像データの表示サイズを変更する（Ｓ６）。上記データ表示の拡大は、表示画面の所定の方向、例えば画面の左上から右下方向に拡大するようにするのがよい。これにより、使用者は、表示画面上における拡大後のデータ表示の様子を容易に想定することができる。この場合、表示画面上の残りの画像データすなわち表示画面の右下の領域にあったデータについては、表示画面外にはみ出させ、操作部１２のスクロールキーの操作により使用者が閲覧可能としてもよく、あるいは、表示画面の右下の領域にあったデータを縮小して表示画面内に残すように構成してもよい。なお、拡大操作を行うための所定のキー毎にデータ表示の拡大率を設定する構成としてもよい。この場合、例えばテンキーの「１」キーには拡大率１０％、「２」キーには拡大率２０％のように設定しておけば、使用者に拡大率がわかりやすくなり、携帯端末の操作性を向上できる。
【００２８】
次に、表示制御部２０は、表示部１０の表示画面に上記データを表示するためのページを再構成し（Ｓ７）、当該ページを再表示する（Ｓ８）。なお、Ｓ４において、拡大率が最大値と判断された場合には、データ表示を拡大できないので、処理を終了する。
【００２９】
以上により、ウェブブラウザまたは画像表示ソフトにより画面表示されていたデータを拡大することができる。
【００３０】
図３には、図１に示された携帯端末においてデータ表示を縮小する場合の動作のフローが示される。図３において、ウェブブラウザまたは画像表示ソフトにより所望の文字及び／または画像データが表示部１０の表示画面に表示されているときに（Ｓ１１）、使用者が上述した特定のキーを操作して携帯端末を縮小モードへ切り替え（Ｓ１２）、さらに、操作キーにより所定の操作入力を行うと（Ｓ１３）、判定部２４が、そのときに表示画面に表示されているデータに設定されている縮小率が最小値か否かを判定する（Ｓ１４）。ここで、縮小率とは、縮小前後のデータ表示の大きさの比率をいい、縮小率が最小とは、データを最も小さく表示することをいう。縮小率の最小値も予め記憶部１４に記憶されている。なお、データの縦または横の表示長さを、表示画面の縦または横の長さより小さく表示してもよい。これにより、表示画面の大きな携帯端末から表示画面の小さな携帯端末に画像データを送信する場合等に、適切な表示サイズのデータとして送信することができる。
【００３１】
Ｓ１４で、現在設定されている縮小率が最小ではないと判定された場合、表示制御部２０が、上記データ表示の縮小率を１段階小さくし（Ｓ１５）、この縮小率に基づき文字及び／または画像データの表示サイズを変更する（Ｓ１６）。上記データ表示の縮小は、表示画面の所定の方向、例えば画面の右下から左上方向に縮小するようにするのがよい。これにより、使用者は、縮小後のデータ表示の様子を容易に想定することができる。また、この場合、図２の動作でデータ表示を拡大した方向と逆方向に縮小されることになる。なお、図２の動作でデータ表示を拡大した方向と同方向、すなわち左上から右下方向に縮小するように構成してもよい。また、縮小操作を行うための所定のキー毎にデータ表示の縮小率を設定する構成としてもよい。この場合、例えばテンキーの「１」キーには縮小率１０％、「２」キーには縮小率２０％のように設定しておけば、使用者に縮小率がわかりやすくなり、携帯端末の操作性を向上できる。
【００３２】
次に、表示制御部２０は、表示部１０の表示画面に上記データを表示するためのページを再構成し（Ｓ１７）、当該ページを再表示する（Ｓ１８）。なお、Ｓ４において、縮小率が最小値と判断された場合には、データ表示を縮小できないので、処理を終了する。
【００３３】
以上により、ウェブブラウザまたは画像表示ソフトにより画面表示されていたデータを縮小することができる。
【００３４】
図４には、図１に示された携帯端末において、データ表示を拡大する場合の他の動作のフローが示される。図４において、ウェブブラウザまたは画像表示ソフトにより所望の文字及び／または画像データが表示部１０の表示画面に表示されているときに（Ｓ２１）、使用者が上述した特定のキーを操作して携帯端末を拡大モードへ切り替え（Ｓ２２）、さらに、操作キーにより所定の操作入力を行うと、操作されたキーが「１」キーであるか否かを判定部２４が判定する（Ｓ２３）。
【００３５】
ここで、図５には、操作部１２を構成するキーの配列図が示される。図５に示されるように、上記「１」キーは、テンキーの四隅の左上に位置している。そこで、Ｓ２３において操作されたキーが「１」キーであると判定された場合には、表示制御部２０が、表示部１０の表示画面に表示されているデータ表示を、「１」キーの対角位置（「９」キーの位置）から「１」キーに向かう方向と同じ方向である右下から左上方向に拡大する（Ｓ２４）。この様子が図６（ａ）に示される。この場合、表示画面の左上の領域にあったデータについては、表示画面外にはみ出させ、操作部１２のスクロールキーの操作により使用者が閲覧可能とする。あるいは、表示画面の左上の領域にあったデータを縮小して表示画面内に残すように構成してもよい。以上のような構成により、テンキー上のキーの位置とデータ表示の拡大方向とが一致し、使用者にとって拡大方向を想定しやすくなって、携帯端末の操作性が向上する。
【００３６】
次に、Ｓ２３において、操作されたキーが「１」キーではないと判定された場合、操作されたキーが「３」キーであるか否かを判定部２４が判定する（Ｓ２５）。図５に示されるように、「３」キーはテンキーの四隅の右上に位置しているので、Ｓ２５において操作されたキーが「３」キーであると判定された場合には、表示制御部２０が、表示部１０の表示画面に表示されているデータ表示を、左下から右上方向に拡大する（Ｓ２６）。この様子が図６（ｂ）に示される。
【００３７】
次に、Ｓ２５において、操作されたキーが「３」キーではないと判定された場合、操作されたキーが「７」キーであるか否かを判定部２４が判定する（Ｓ２７）。図５に示されるように、「７」キーはテンキーの四隅の左下に位置しているので、Ｓ２７において操作されたキーが「７」キーであると判定された場合には、表示制御部２０が、表示部１０の表示画面に表示されているデータ表示を、右上から左下方向に拡大する（Ｓ２８）。この様子が図６（ｃ）に示される。
【００３８】
次に、Ｓ２７において、操作されたキーが「７」キーではないと判定された場合、操作されたキーが「９」キーであるか否かを判定部２４が判定する（Ｓ２９）。図５に示されるように、「９」キーはテンキーの四隅の右下に位置しているので、Ｓ２９において操作されたキーが「９」キーであると判定された場合には、表示制御部２０が、表示部１０の表示画面に表示されているデータ表示を、左上から右下方向に拡大する（Ｓ３０）。この様子が図６（ｄ）に示される。
【００３９】
さらに、Ｓ２９において、操作されたキーが「９」キーではないと判定された場合、操作されたキーが「５」キーであるか否かを判定部２４が判定する（Ｓ３１）。図５に示されるように、「５」キーはテンキーの中央に位置しているので、Ｓ３１において操作されたキーが「５」キーであると判定された場合には、表示制御部２０が、表示部１０の表示画面に表示されているデータ表示を、その中心を動かさずに四方に拡大する（Ｓ３２）。この様子が図６（ｅ）に示される。
【００４０】
なお、Ｓ３１において操作されたキーが「５」キーでないと判定された場合には、処理を終了する。
【００４１】
図６（ｂ）、（ｃ）、（ｄ）、（ｅ）に示された例においても、データ表示が拡大されて行く方向の領域にあったデータは、表示画面からはみ出させてもよいし、縮小して表示画面内に残してもよい。
【００４２】
以上により、テンキー内の各キーの位置と拡大方向とが観念的に一致するので、携帯端末の操作性を向上できる。なお、図４に示された例は、データ表示を拡大するフローであったが、データ表示を縮小する場合にも同様にして実現できる。
【図面の簡単な説明】
【００４３】
【図１】本発明にかかる携帯端末の一実施形態の構成のブロック図である。
【図２】図１に示された携帯端末において、文字及び／または画像データの表示を拡大する場合の動作のフロー図である。
【図３】図１に示された携帯端末において、文字及び／または画像データの表示を縮小する場合の動作のフロー図である。
【図４】図１に示された携帯端末において、データ表示を拡大する場合の他の動作のフロー図である。
【図５】操作部を構成するキーの配列図である。
【図６】データ表示を拡大する方向の説明図である。
【符号の説明】
【００４４】
１０  表示部、１２  操作部、１４  記憶部、１６  通信部、１８  制御部、２０  表示制御部、２２  モード制御部、２４  判定部。
【図１】
2006155206.tif 000003
【図２】
2006155206.tif 000004
【図３】
2006155206.tif 000005
【図４】
2006155206.tif 000006
【図５】
2006155206.tif 000007
【図６】
2006155206.tif 000008